(57)【要約】【課題】電気要素の交換前後の制御回路中の任意の位置（確認ポイント）での信号ＯＮ時刻または信号ＯＦＦ時刻の変化を比較表示する。【解決手段】比較表示装置１０は、電気要素の交換による確認ポイントでの信号ＯＮ時刻または信号ＯＦＦ時刻の変化を視覚的に比較表示するための処理を行う装置である。比較表示装置１０は、結合データ入力部１１、条件データ入力部１２、計算実行部１３、および、画像データ生成部１４を備えている。計算実行部１３は、結合データ入力部１１が入力した交換前結合データ、交換後結合データ、および、条件データ入力部１２が入力した条件データに基づいて、確認ポイントでの交換前後の信号ＯＮ時刻または信号ＯＦＦ時刻を計算する。画像データ生成部１４は、計算実行部１３の計算結果に基づく情報を表示装置に交換前後で並べて比較表示させるための画像データを生成する。【選択図】図１
2010271985.tif 000002
【特許請求の範囲】
【請求項１】
制御回路を構成する複数の電気要素のうち少なくとも１つを交換することによる前記制御回路中の任意の位置での信号ＯＮ時刻または信号ＯＦＦ時刻の変化を視覚的に比較表示するための処理を行う比較表示装置であって、
交換前の前記制御回路を構成する前記複数の電気要素の接続状態に関する情報を含む回路データと交換前の前記制御回路を構成する前記複数の電気要素の個々の仕様データとを結合した交換前結合データおよび交換後の前記制御回路を構成する前記複数の電気要素の接続状態に関する情報を含む回路データと交換後の前記制御回路を構成する前記複数の電気要素の個々の仕様データとを結合した交換後結合データを入力する結合データ入力部と、
少なくとも前記制御回路中の任意の位置に関する情報を含む条件データを入力する条件データ入力部と、
前記結合データ入力部が入力した前記交換前結合データ、前記交換後結合データおよび条件データ入力部が入力した前記条件データに基づいて前記任意の位置での交換前後の信号ＯＮ時刻または信号ＯＦＦ時刻を計算する計算実行部と、
前記計算実行部が計算した前記任意の位置での前記信号ＯＮ時刻または前記信号ＯＦＦ時刻に基づく情報を表示装置に交換前後で並べて比較表示させるための画像データを生成する画像データ生成部と
を具備することを特徴とする比較表示装置。
【請求項２】
前記仕様データは、少なくとも前記電気要素の動作時間または復帰時間に関する情報を含むことを特徴とする請求項１に記載の比較表示装置。
【請求項３】
前記回路データは、前記制御回路を構成する前記電気要素の型式に関する情報を含み、
前記仕様データは、前記電気要素の型式およびその型式の特性に関する情報を含み、
前記交換前結合データおよび前記交換後結合データは、前記回路データおよび前記仕様データに含まれる前記電気要素の型式に基づいて前記回路データと前記仕様データとを結合したデータであること
を特徴とする請求項１または２に記載の比較表示装置。
【請求項４】
前記条件データは、前記制御の起動条件に関する情報を含むことを特徴とする請求項１ないし３のいずれか一項に記載の比較表示装置。
【請求項５】
制御回路を構成する複数の電気要素のうち少なくとも１つを交換することによる前記制御回路中の任意の位置での信号ＯＮ時刻または信号ＯＦＦ時刻の変化を視覚的に比較表示するための処理を行う比較表示システムであって、
交換前後の前記制御回路を構成する前記複数の電気要素の接続状態に関する情報を含む回路データを収納する回路データ管理部と、
交換前後の前記制御回路を構成する前記複数の電気要素の個々の仕様データを収納する仕様データ管理部と、
前記回路データ管理部に収納された交換前後の前記回路データおよび前記仕様データ管理部に収納された交換前後の前記仕様データを読み込み、交換前の前記回路データと交換前の前記仕様データとを結合した交換前結合データおよび交換後の前記回路データと交換後の前記仕様データとを結合した交換後結合データを生成する結合データ生成部と、
前記結合データ生成部が生成した前記交換前結合データおよび前記交換後結合データを入力する結合データ入力部と、
少なくとも前記制御回路中の任意の位置に関する情報を含む条件データを入力する条件データ入力部と、
前記結合データ入力部が入力した前記結合データおよび条件データ入力部が入力した前記条件データに基づいて前記任意の位置での交換前後の信号ＯＮ時刻または信号ＯＦＦ時刻を計算する計算実行部と、
前記計算実行部が計算した前記任意の位置での前記信号ＯＮ時刻または前記信号ＯＦＦ時刻に基づく情報を前記交換前後で並べて比較表示させるための画像データを生成する画像データ生成部と、
前記画像データ生成部が生成した前記画像データを入力して表示する画像表示部と
を具備することを特徴とする比較表示システム。
【請求項６】
制御回路を構成する複数の電気要素のうち少なくとも１つを交換することによる前記制御回路中の任意の位置での信号ＯＮ時刻または信号ＯＦＦ時刻の変化を視覚的に比較表示するための処理を行う比較表示プログラムであって、
１又は複数のコンピュータを、
交換前の前記制御回路を構成する前記複数の電気要素の接続状態に関する情報を含む回路データと交換前の前記制御回路を構成する前記複数の電気要素の個々の仕様データとを結合した交換前結合データおよび交換後の前記制御回路を構成する前記複数の電気要素の接続状態に関する情報を含む回路データと交換後の前記制御回路を構成する前記複数の電気要素の個々の仕様データとを結合した交換後結合データを入力する結合データ入力手段と、
少なくとも前記制御回路中の任意の位置に関する情報を含む条件データを入力する条件データ入力手段と、
前記結合データ入力部が入力した前記交換前結合データ、前記交換後結合データおよび条件データ入力部が入力した前記条件データに基づいて前記任意の位置での交換前後の信号ＯＮ時刻または信号ＯＦＦ時刻を計算する計算実行手段と、
前記計算実行部が計算した前記任意の位置での前記信号ＯＮ時刻または前記信号ＯＦＦ時刻に基づく情報を表示装置に交換前後で並べて比較表示させるための画像データを生成する画像データ生成手段
として機能させるための比較表示プログラム。
【請求項７】
制御回路を構成する複数の電気要素のうち少なくとも１つを交換することによる前記制御回路中の任意の位置での信号ＯＮ時刻または信号ＯＦＦ時刻の変化を視覚的に比較表示するための処理を行う比較表示方法であって、
１又は複数のコンピュータを用いて、
交換前の前記制御回路を構成する前記複数の電気要素の接続状態に関する情報を含む回路データと交換前の前記制御回路を構成する前記複数の電気要素の個々の仕様データとを結合した交換前結合データおよび交換後の前記制御回路を構成する前記複数の電気要素の接続状態に関する情報を含む回路データと交換後の前記制御回路を構成する前記複数の電気要素の個々の仕様データとを結合した交換後結合データを入力する結合データ入力工程と、
少なくとも前記制御回路中の任意の位置に関する情報を含む条件データを入力する条件データ入力工程と、
前記結合データ入力部が入力した前記交換前結合データ、前記交換後結合データおよび条件データ入力部が入力した前記条件データに基づいて前記任意の位置での交換前後の信号ＯＮ時刻または信号ＯＦＦ時刻を計算する計算実行工程と、
前記計算実行部が計算した前記任意の位置での前記信号ＯＮ時刻または前記信号ＯＦＦ時刻に基づく情報を表示装置に交換前後で並べて比較表示させるための画像データを生成する画像データ生成工程と
を実行する比較表示方法。
【発明の詳細な説明】
【技術分野】
【０００１】
本発明は、制御回路を構成する複数の電気要素のうち少なくとも１つを交換することによる制御回路中の任意の位置での信号ＯＮ時刻または信号ＯＦＦ時刻の変化を視覚的に比較表示するための処理を行う比較表示装置および比較表示システム、コンピュータを比較表示装置として機能させるための比較表示プログラム、ならびに、コンピュータを用いて比較表示するための処理を実行する比較表示方法に関する。
【背景技術】
【０００２】
特許文献１には、制御ロジック検証装置が開示されている。この制御ロジック検証装置は、シミュレーション装置、押しボタン装置、制御ロジック色変え表示装置、点灯装置、自動停止装置を備える。
【０００３】
シミュレーション装置は、メモリ装置に汎用性を持たせた形で蓄積した制御ブロックを任意に組み合わせて制御ロジックを構成し、制御ロジックに対するシミュレーションを行なう。押しボタン装置は、制御ロジックの境界条件を変更する。制御ロジック色変え表示装置は、シミュレーション装置が制御ブロックを任意に組み合わせて構成した各制御ロジックのＯＮ／ＯＦＦの状況によって各制御ロジックを塗り分ける。点灯装置は、シミュレーション装置が制御ブロックを任意に組み合わせて構成した各制御ロジックのＯＮ／ＯＦＦの状況によって各制御ロジックの所望の部分を塗り分けて点灯させる。
【０００４】
特許文献１に開示された制御ロジック検証装置は、設計者が意図した通りに制御ロジックが動作しているか否かの確認を容易にするため、１つの制御ロジックのシミュレーション結果を色変えして、または、点灯させて表示する。
【先行技術文献】
【特許文献】
【０００５】
【特許文献１】特開平８−１４７０２５号公報
【発明の概要】
【発明が解決しようとする課題】
【０００６】
制御回路を構成する継電器等の電気要素は、寿命や劣化により定期的に交換する必要がある。
【０００７】
しかし、交換前の電気要素と同一の仕様のものが、交換時に市場に流通しておらず、仕様の異なる代替品に交換せざるを得ない場合がある。かかる場合には、交換前後で制御回路の動作状況を比較して確認する必要がある。
【０００８】
ここで、特許文献１には、１つの制御ロジックのシミュレーション結果を色変えして、または、点灯させて表示して、設計者が意図した通りに制御ロジックが動作しているか否かの確認を容易にすることは開示されている。
【０００９】
しかしながら、特許文献１に記載の制御ロジック検証装置では、制御回路を構成する電気要素の交換前後で、制御回路の動作状況を比較表示することはできない。
【００１０】
そこで、本発明は、上記課題を解決するためになされたものであり、電気要素の交換前後の制御回路中の任意の位置での信号ＯＮ時刻または信号ＯＦＦ時刻の変化を比較表示できる比較表示装置、比較表示システム、比較表示プログラム、および、比較表示方法を提供することを目的とする。
【課題を解決するための手段】
【００１１】
上記目的を達成するために、本発明に係る比較表示装置は、制御回路を構成する複数の電気要素のうち少なくとも１つを交換することによる前記制御回路中の任意の位置での信号ＯＮ時刻または信号ＯＦＦ時刻の変化を視覚的に比較表示するための処理を行う比較表示装置であって、交換前の前記制御回路を構成する前記複数の電気要素の接続状態に関する情報を含む回路データと交換前の前記制御回路を構成する前記複数の電気要素の個々の仕様データとを結合した交換前結合データおよび交換後の前記制御回路を構成する前記複数の電気要素の接続状態に関する情報を含む回路データと交換後の前記制御回路を構成する前記複数の電気要素の個々の仕様データとを結合した交換後結合データを入力する結合データ入力部と、少なくとも前記制御回路中の任意の位置に関する情報を含む条件データを入力する条件データ入力部と、前記結合データ入力部が入力した前記交換前結合データ、前記交換後結合データおよび条件データ入力部が入力した前記条件データに基づいて前記任意の位置での交換前後の信号ＯＮ時刻または信号ＯＦＦ時刻を計算する計算実行部と、前記計算実行部が計算した前記任意の位置での前記信号ＯＮ時刻または前記信号ＯＦＦ時刻に基づく情報を表示装置に交換前後で並べて比較表示させるための画像データを生成する画像データ生成部とを具備することを特徴とする。
【００１２】
また、上記目的を達成するために、本発明に係る比較表示システムは、制御回路を構成する複数の電気要素のうち少なくとも１つを交換することによる前記制御回路中の任意の位置での信号ＯＮ時刻または信号ＯＦＦ時刻の変化を視覚的に比較表示するための処理を行う比較表示システムであって、交換前後の前記制御回路を構成する前記複数の電気要素の接続状態に関する情報を含む回路データを収納する回路データ管理部と、交換前後の前記制御回路を構成する前記複数の電気要素の個々の仕様データを収納する仕様データ管理部と、前記回路データ管理部に収納された交換前後の前記回路データおよび前記仕様データ管理部に収納された交換前後の前記仕様データを読み込み、交換前の前記回路データと交換前の前記仕様データとを結合した交換前結合データおよび交換後の前記回路データと交換後の前記仕様データとを結合した交換後結合データを生成する結合データ生成部と、前記結合データ生成部が生成した前記交換前結合データおよび前記交換後結合データを入力する結合データ入力部と、少なくとも前記制御回路中の任意の位置に関する情報を含む条件データを入力する条件データ入力部と、前記結合データ入力部が入力した前記結合データおよび条件データ入力部が入力した前記条件データに基づいて前記任意の位置での交換前後の信号ＯＮ時刻または信号ＯＦＦ時刻を計算する計算実行部と、前記計算実行部が計算した前記任意の位置での前記信号ＯＮ時刻または前記信号ＯＦＦ時刻に基づく情報を前記交換前後で並べて比較表示させるための画像データを生成する画像データ生成部と、前記画像データ生成部が生成した前記画像データを入力して表示する画像表示部とを具備することを特徴とする。
【００１３】
また、上記目的を達成するために、本発明に係る比較表示プログラムは、制御回路を構成する複数の電気要素のうち少なくとも１つを交換することによる前記制御回路中の任意の位置での信号ＯＮ時刻または信号ＯＦＦ時刻の変化を視覚的に比較表示するための処理を行う比較表示プログラムであって、１又は複数のコンピュータを、交換前の前記制御回路を構成する前記複数の電気要素の接続状態に関する情報を含む回路データと交換前の前記制御回路を構成する前記複数の電気要素の個々の仕様データとを結合した交換前結合データおよび交換後の前記制御回路を構成する前記複数の電気要素の接続状態に関する情報を含む回路データと交換後の前記制御回路を構成する前記複数の電気要素の個々の仕様データとを結合した交換後結合データを入力する結合データ入力手段と、少なくとも前記制御回路中の任意の位置に関する情報を含む条件データを入力する条件データ入力手段と、前記結合データ入力部が入力した前記交換前結合データ、前記交換後結合データおよび条件データ入力部が入力した前記条件データに基づいて前記任意の位置での交換前後の信号ＯＮ時刻または信号ＯＦＦ時刻を計算する計算実行手段と、前記計算実行部が計算した前記任意の位置での前記信号ＯＮ時刻または前記信号ＯＦＦ時刻に基づく情報を表示装置に交換前後で並べて比較表示させるための画像データを生成する画像データ生成手段として機能させるための比較表示プログラムであることを特徴とする。
【００１４】
さらに、上記目的を達成するために、本発明に係る比較表示方法は、制御回路を構成する複数の電気要素のうち少なくとも１つを交換することによる前記制御回路中の任意の位置での信号ＯＮ時刻または信号ＯＦＦ時刻の変化を視覚的に比較表示するための処理を行う比較表示方法であって、１又は複数のコンピュータを用いて、交換前の前記制御回路を構成する前記複数の電気要素の接続状態に関する情報を含む回路データと交換前の前記制御回路を構成する前記複数の電気要素の個々の仕様データとを結合した交換前結合データおよび交換後の前記制御回路を構成する前記複数の電気要素の接続状態に関する情報を含む回路データと交換後の前記制御回路を構成する前記複数の電気要素の個々の仕様データとを結合した交換後結合データを入力する結合データ入力工程と、少なくとも前記制御回路中の任意の位置に関する情報を含む条件データを入力する条件データ入力工程と、前記結合データ入力部が入力した前記交換前結合データ、前記交換後結合データおよび条件データ入力部が入力した前記条件データに基づいて前記任意の位置での交換前後の信号ＯＮ時刻または信号ＯＦＦ時刻を計算する計算実行工程と、前記計算実行部が計算した前記任意の位置での前記信号ＯＮ時刻または前記信号ＯＦＦ時刻に基づく情報を表示装置に交換前後で並べて比較表示させるための画像データを生成する画像データ生成工程とを実行する比較表示方法であることを特徴とする。
【発明の効果】
【００１５】
本発明によれば、電気要素の交換前後の制御回路中の任意の位置での信号ＯＮ時刻または信号ＯＦＦ時刻の変化を比較表示できる。
【図面の簡単な説明】
【００１６】
【図１】本発明の第１の実施形態に係る比較表示システムの主要な構成を示すブロック図である。
【図２】本発明の第１の実施形態に係る比較表示システムの主要な処理を示すフローチャートである。
【図３】本発明の第１の実施形態に係る比較表示システムの回路データ管理部に収納された回路データを表す制御回路図（ラダー図）の具体例である。
【図４】本発明の第１の実施形態に係る比較表示システムの仕様データ管理部に収納された仕様データの内容の一例を示す表である。
【図５】本発明の第１の実施形態に係る比較表示システムの計算実行部の計算結果の具体例である。
【図６】本発明の第１の実施形態に係る比較表示システムの画像表示部が表示する画像の一例である。
【図７】本発明の第２の実施形態に係る比較表示システムの仕様データ管理部に収納された仕様データの内容の一例を示す表である。
【図８】本発明の第３の実施形態に係る比較表示システムの主要な構成を示すブロック図である。
【発明を実施するための形態】
【００１７】
［第１の実施形態］
本発明の比較表示装置、比較表示システム、比較表示プログラムおよび比較表示方法の第１の実施形態について、図１ないし図６を用いて説明する。
【００１８】
まず、第１の実施形態に係る比較表示システムの構成の概略について図１を用いて説明する。図１は、本実施形態に係る比較表示システムの主要な構成を示すブロック図である。
【００１９】
比較表示システム１は、制御回路を構成する複数の電気要素のうち少なくとも１つを交換することによる制御回路中の任意の位置での信号ＯＮ時刻または信号ＯＦＦ時刻の変化を視覚的に比較表示するものである。
【００２０】
比較表示システム１は、回路データ管理部２、仕様データ管理部３、結合データ生成部４、比較表示装置１０、および、画像表示部５を有する。
【００２１】
回路データ管理部２は、制御回路中の電気要素を交換する前のＣＡＤデータ（以下「交換前回路データ」という。）および制御回路中の電気要素を交換した後のＣＡＤデータ（以下「交換後回路データ」という。）を収納している。
【００２２】
仕様データ管理部３は、制御回路中の電気要素を交換する前における電気要素の個々の仕様に関する情報（以下「交換前仕様データ」という。）および制御回路中の電気要素を交換した後における電気要素の個々の仕様に関する情報（以下「交換後仕様データ」という。）を収納している。
【００２３】
結合データ生成部４は、交換前回路データと交換前仕様データとを結合して、交換前結合データを生成する。また、結合データ生成部４は、交換後回路データと交換後仕様データとを結合して、交換後結合データを生成する。
【００２４】
比較表示装置１０は、結合データ入力部１１、条件データ入力部１２、計算実行部１３、および、画像データ生成部１４を有する。
【００２５】
結合データ入力部１１は、結合データ生成部４が生成した交換前結合データおよび交換後結合データを入力する。
【００２６】
条件データ入力部１２は、条件データを入力する。ここで、条件データとは、少なくともユーザが制御回路中の信号ＯＮ時刻または信号ＯＦＦ時刻を確認したい位置（以下「確認ポイント」という。）を含む情報である。
【００２７】
計算実行部１３は、結合データ入力部１１が入力した交換前結合データおよび条件データ入力部１２が入力した条件データに基づいて、確認ポイントでの交換前の信号ＯＮ時刻または信号ＯＦＦ時刻を計算する。また、計算実行部１３は、交換後結合データおよび条件データに基づいて、確認ポイントでの交換後の信号ＯＮ時刻または信号ＯＦＦ時刻を計算する。ここで、信号ＯＮ時刻とは、確認ポイントを信号（電流）が通過し始めた時刻をいい、信号ＯＦＦ時刻とは、確認ポイントを信号（電流）が停止した時刻をいう。
【００２８】
画像データ生成部１４は、計算実行部１３が計算した確認ポイントでの信号ＯＮ時刻または信号ＯＦＦ時刻に基づいて、交換前後の確認ポイントでの信号ＯＮ時刻または信号ＯＦＦ時刻の変化を画像表示部５にて視覚的に比較表示させるための画像データを生成する。
【００２９】
画像表示部５は、画像データ生成部１４が生成した画像データを画像としてユーザに対して表示する。
【００３０】
次に、本実施形態に係る比較表示装置の処理の概略について図２を用いて説明する。図２は、本発明の第１の実施形態に係る比較表示システムの主要な処理を示すフローチャートである。
【００３１】
比較表示装置１０が初期化（Ｓ１）された後、結合データ生成部４は、回路データ管理部２から交換前回路データおよび交換後回路データを、仕様データ管理部３から交換前仕様データおよび交換後仕様データを入力する（Ｓ２）。結合データ生成部４は、交換前回路データと交換前仕様データとを結合し、交換前結合データを生成し、交換後回路データと交換後仕様データとを結合し、交換後結合データを生成する（Ｓ３）。
【００３２】
結合データ入力部１１は、結合データ生成部４が生成した交換前結合データおよび交換後結合データを比較表示装置１０に入力する（Ｓ４）。
【００３３】
一方、条件データ入力部１２は、ユーザからの条件データを比較表示装置１０に入力する（Ｓ５）。
【００３４】
計算実行部１３は、結合データ入力部１１が入力した交換前結合データおよび条件データ入力部１２が入力した条件データに基づいて、確認ポイントでの交換前の信号ＯＮ時刻または信号ＯＦＦ時刻を計算する（Ｓ６）。また、計算実行部１３は、交換後結合データおよび条件データに基づいて、確認ポイントでの交換後の信号ＯＮ時刻または信号ＯＦＦ時刻を計算する（Ｓ６）。
【００３５】
画像データ生成部１４は、計算実行部１３が計算した交換前後の信号ＯＮ時刻または信号ＯＦＦ時刻を入力し、画像データを生成する（Ｓ７）。
【００３６】
画像表示部５は、画像データ生成部１４が生成した画像データを入力し、画像データを画像としてユーザに対して出力する（Ｓ８）。
【００３７】
次に、各手段の処理について、図１ないし図６を用いて詳細に説明する。ここでは、具体例を用いて説明する。図３は、本発明の第１の実施形態に係る比較表示システムの回路データ管理部に収納された回路データを図示化した制御回路図（ラダー図）の一例である。図４は、本発明の第１の実施形態に係る比較表示システムの仕様データ管理部に収納された仕様データの内容の一例を示す表である。図５は、本発明の第１の実施形態に係る比較表示システムの計算実行部の計算結果の一例である。図６は、本発明の第１の実施形態に係る比較表示システムの画像表示部が表示する画像の一例である。
【００３８】
以下、具体例を用いて説明する。図３により表される制御回路５１において、４個のリレーを動作時間および復帰時間の異なるリレーに交換した場合を例として説明する。
【００３９】
一例として、交換前の制御回路５１について、図３を用いて説明する。
【００４０】
制御回路５１は、スタート回路５２、Ａ系回路５３、Ｂ系回路５４、および、エンド回路５５から構成されている。
【００４１】
スタート回路５２は、直列に接続されたスイッチ５６およびリレー「０」のコイル「Ｙ０」から構成されている。
【００４２】
Ａ系回路５３は、４つの回路５７〜６０からなる制御回路である。以下、リレー△△のコイルを「Ｙ△△」、リレー△△の常時開接点を「Ｘ△△ａ」、常時閉接点を「Ｘ△△ｂ」と表す。
【００４３】
回路５７は、リレー０の常時開接点Ｘ０Ａと、直列に接続されたリレー４Ａの常時閉接点Ｘ４Ａおよびリレー１Ａの常時閉接点Ｘ１Ａとが並列に接続され（ＯＲ回路）、これらとリレー１ＡのコイルＹ１Ａとが直列に接続されている。リレー０の常時開接点Ｘ０Ａａは、コイルＹ０に電流が流れると、動作時間経過後に閉じる（ＯＮする）。リレー１Ａの常時開接点Ｘ１Ａａは、コイルＹ１Ａに電流が流れると、動作時間経過後に閉じる。また、リレー４Ａの常時閉接点Ｘ４Ａｂは、コイルＹ４Ａに電流が流れると、動作時間経過後に閉じる（ＯＦＦする）。
【００４４】
回路５８は、リレー１Ａの常時開接点Ｘ１Ａａとリレー２ＡのコイルＹ２Ａとが直列に接続されている。リレー１Ａの常時開接点Ｘ１Ａａは、リレー１ＡのコイルＹ１Ａに電流が流れると、動作時間経過後に閉じる。
【００４５】
回路５９は、リレー２Ａの常時開接点Ｘ２ＡａとコイルＹ３Ａとが直列に接続されている。リレー２Ａの常時開接点Ｘ２Ａａは、リレー２ＡのコイルＹ２Ａに電流が流れると、動作時間経過後に閉じる。
【００４６】
回路６０は、リレー３Ａの常時開接点Ｘ３Ａａとリレー４ＡのコイルＹ４Ａとが直列に接続されている。リレー３Ａの常時開接点Ｘ３Ａａは、リレー３ＡのコイルＹ３Ａに電流が流れると、動作時間経過後に閉じる。
【００４７】
Ｂ系回路５４は、４つの回路６１〜６４からなる制御回路である。４つの回路６１〜６４の構成は、それぞれＡ系回路５３の４つの回路５７〜６０と同一である。
【００４８】
エンド回路５５は、リレー４Ａの常時開接点Ｘ４Ａａとリレー４Ｂの常時開接点Ｘ４Ｂａとが直列に接続されている（ＡＮＤ回路）。よって、リレー４Ａの常時開接点Ｘ４Ａａとリレー４Ｂの常時開接点Ｘ４Ｂａとが同時に閉じている時間に、信号が入力接点６５に入力される。
【００４９】
制御回路５１を構成する全てのリレーは、各コイルに電流が流れてから５０ｍｓｅｃ後に各接点が開閉する。すなわち、これらのリレーの動作時間は、５０ｍｓｅｃである。また、制御回路５１を構成する全てのリレーは、各コイルに流れる電流が停止してから５０ｍｓｅｃ後に各接点が開閉する。すなわち、これらのリレーの復帰時間は、５０ｍｓｅｃである。
【００５０】
上述から分かるように、リレー１Ａとリレー１Ｂとは、同種のリレーである。また、リレー２Ａ〜４Ａおよびリレー２Ｂ〜４Ｂは、同種のリレーである。一例として、リレー０の型式名（いわゆる「型番」）は「Ｒ０１」、リレー１Ａおよびリレー１Ｂの型式名は「Ｒ０２」、リレー２Ａ〜４Ａおよびリレー２Ｂ〜４Ｂの型式名は「Ｒ０３」とする。
【００５１】
一例として、交換後の制御回路について説明する。
【００５２】
交換後の制御回路は、交換前の制御回路５１のＡ系回路５３を構成するリレー１Ａ（型式名「Ｒ０２」）を、動作時間および復帰時間が１０ｍｓｅｃのリレー（型式名「Ｒ０４」）に交換し、かつ、リレー２Ａ〜４Ａ（型式名「Ｒ０３」）を、動作時間および復帰時間が１０ｍｓｅｃのリレー（型式名「Ｒ０５」）に交換した回路である。リレーの接続状態は変更されていない。
【００５３】
回路データ管理部２に収納された回路データ、および、仕様データ管理部３に収納された仕様データについて説明する。
【００５４】
回路データは、制御回路を構成する複数の電気要素、各電気要素の接続状態、および、各電気要素の型式名を含んだ情報である。回路データとは、例えば、制御回路のＣＡＤデータである。
【００５５】
上述の具体例を用いて説明すると、交換前の制御回路５１の回路データ（交換前回路データ）は、制御回路５１を構成するスイッチおよび複数のリレー、これらの接続状態、ならびに、これらの型式名を含んだ情報であり、リレーの動作時間および復帰時間までは含まれていない。
【００５６】
ここで、交換後の制御回路は、交換前の制御回路５１を構成する４つのリレー１Ａ〜４Ａを異なる型式のリレーに交換したものなので、交換後回路データは、交換前回路データ中の型式名に関する情報のみが書き換えられたデータである。
【００５７】
一方、仕様データは、交換前後の制御回路を構成する複数の電気要素の型式名、および、その型式ごとの電気的特性を含んだ情報である。
【００５８】
上述の具体例を用いて説明すると、仕様データは、図４に示すように、交換前後の制御回路を構成するスイッチおよび複数のリレーの型式名、ならびに、これらの型式ごとの動作時間および復帰時間を含んだ情報である。
【００５９】
結合データ生成部４および結合データについて説明する。
【００６０】
結合データ生成部４は、回路データ管理部２から交換前回路データおよび交換後回路データを読み込む（Ｓ２）。
【００６１】
上述の具体例を用いて説明すると、結合データ生成部４は、交換前回路データに含まれる型式名（「Ｒ０１」〜「Ｒ０３」）および交換後回路データの電気要素の型式名（「Ｒ０１」〜「Ｒ０５」）を判別し、これらの型式ごとの電気的特性（リレーの動作時間および復帰時間）を仕様データ管理部３から読み込む。
【００６２】
結合データ生成部４は、交換前回路データに電気的特性（リレー「Ｒ０１」〜「Ｒ０３」の動作時間および復帰時間）を書き込んだ交換前結合データを生成する。また、交換後回路データに電気的特性（リレー「Ｒ０１」〜「Ｒ０５」の動作時間および復帰時間）を書き込んだ交換後結合データを生成する。
【００６３】
結合データ生成部４は、生成した交換前結合データおよび交換後結合データを結合データ入力部１１に出力する。
【００６４】
条件データ入力部１２および条件データについて説明する。
【００６５】
条件データは、計算実行部１３が時刻を計算する制御回路中の位置（すなわち、確認ポイント）、計算実行部１３が計算する時刻の種類（信号ＯＮ時刻なのか、信号ＯＦＦ時刻なのか、信号ＯＮ時刻および信号ＯＦＦ時刻なのか）、および、制御を実行させるための初期条件に関する情報を含んでいる。
【００６６】
上述に具体例として示した交換前後の制御回路において、ユーザが、各リレー０，１Ａ〜４Ａ，１Ｂ〜４Ｂの常時開接点および入力接点６５での信号ＯＮ時刻および信号ＯＦＦ時刻を所望する場合を例に説明する。
【００６７】
この場合には、ユーザは、キーボード等の入力端末を用いて、確認ポイント（リレー０，１Ａ〜４Ａ，１Ｂ〜４Ｂの常時開接点および入力接点６５）、および、所望する時刻の種類（信号ＯＮ時刻および信号ＯＦＦ時刻）を指定する。また、ユーザは、制御の実行のための初期条件（スタート回路５２のスイッチをＯＮする時間（例えば、１００ｍｓｅｃ））を指定する。
【００６８】
条件データ入力部１２は、これらの情報を含む条件データを入力し（Ｓ５）、入力した条件データを計算実行部１３に出力する。
【００６９】
なお、条件データ入力部１２は、キーボード、マウス等の入力端末を含むものであっても良い。
【００７０】
計算実行部１３および計算結果について説明する。
【００７１】
計算実行部１３は、結合データ入力部１１から交換前結合データおよび交換後結合データを入力し、条件データ入力部から条件データを入力する。
【００７２】
計算実行部１３は、上述に例として挙げた交換前結合データおよび交換後結合データ、ならびに、条件データを入力した場合には、図５に示す計算結果を出力する。
【００７３】
図５に示す計算結果について説明する。計算実行部１３は、スイッチのＯＮ時刻を時刻０として、交換前後の各確認ポイントについて、信号ＯＮ時刻および信号ＯＦＦ時刻を計算する（Ｓ６）。
【００７４】
また、図５の「信号ＯＮ／ＯＦＦの切換の順序」について説明する。計算実行部１３は、信号ＯＮ時刻および信号ＯＦＦ時刻に対して、交換前後ごとに信号ＯＮ／ＯＦＦの切り換わりの時刻が早い順に連番を割り当てる。同一の時刻が複数存在している場合には、表の上方から順に連番を割り当てる。
【００７５】
なお、計算実行部１３は、必ずしも信号ＯＮ／ＯＦＦの切り換わりの順序を出力する必要はない。順序の出力の有無は、ユーザが選択できるようにしても良い。また、同一の時刻が複数存在している場合には、それらの時刻に同一の番号を割り当てても良い。
【００７６】
画像データ生成部１４、画像データ、および、画像表示部５について説明する。
【００７７】
画像データ生成部１４は、計算実行部１３が出力した計算結果を入力し、この計算結果に基づいて、画像表示部５により画像を表示するための画像データを生成する（Ｓ７）。
【００７８】
図６に示す画像について説明する。図６に示す画像は、図５に示す計算結果に基づいて生成されたものであり、画像表示部（例えば、モニター）５に表示されたものである。
【００７９】
モニターには、各確認ポイントの信号ＯＮ／ＯＦＦ状態が、交換前後ごとに上下に並んで表示されている。モニターの横方向には時間軸が設けられ、図６においてハッチングされている立上り空間が、信号ＯＮ状態を表している。立上り部分が、図５の信号ＯＮ時刻を示し、立下がり部分が、図５の信号ＯＦＦ時刻を示している。
【００８０】
図６では、立上り空間はハッチングされているが、実際のモニター上では、立上り空間は着色されていても良い。この場合、交換前後で同一の確認ポイント（例えば、交換前のＸ１Ａａおよび交換後のＸ１Ａａ）の立上り空間は、同一色で着色されている。
【００８１】
この具体例において、交換後の入力接点では、信号が検出されていないことが分かる。これは、この具体例の制御回路の最終的な制御動作が実行されないという問題があることを示す。このような場合には、交換前の入力接点６５の立上り空間は、他の確認ポイントの立上り空間より目立つ色で着色されるのが好ましい。もしくは、交換前の入力接点６５の立上り空間が点滅しても良い。
【００８２】
また、図６中の括弧書きされた数字は、各確認ポイントの信号ＯＮ／ＯＦＦの切り換わりの順序を示している。
【００８３】
上述から分かるように、交換することによって制御回路中の任意の位置での信号ＯＮ時刻または信号ＯＦＦ時刻に時間的影響を与えるような電気要素を交換した場合に、比較表示システム１を利用すると効果的である。信号ＯＮ時刻または信号ＯＦＦ時刻に時間的影響を与えるような電気要素とは、例えば、リレー、補助リレー、または、タイマーなどが挙げられる。
【００８４】
以下、本実施形態に係る比較表示装置、比較表示システム、比較表示プログラム、および、比較表示方法の効果について説明する。
【００８５】
本実施形態によれば、電気要素の交換前後の制御回路中の任意の位置での信号ＯＮ時刻または信号ＯＦＦ時刻の変化を同時に比較表示できる。そのため、電気要素の交換にあたっての制御動作の検証確認作業が容易になり、その作業に要する時間を短縮でき、かつ、その作業の正確性も向上する。
【００８６】
また、本実施形態によれば、複数の位置での信号ＯＮ時刻または信号ＯＦＦ時刻の変化を同時に比較表示できる。そのため、電気要素の交換にあたっての制御動作の検証確認作業において、交換による問題点があれば、その問題点を容易に発見できる。
【００８７】
また、本実施形態によれば、画像表示部５により表示される際に、交換前後で同一の確認ポイントの立上り空間は、同一色で着色されているため、各位置の制御動作の検証確認作業がより容易になる。
【００８８】
さらに、本実施形態によれば、各確認ポイントの信号ＯＮ／ＯＦＦの切り換わりの順序が表示されるため、制御動作の検証確認作業がより容易になる。
【００８９】
［第２の実施形態］
本発明の比較表示装置、比較表示システム、比較表示プログラムおよび比較表示方法の第２の実施形態について、図７を用いて説明する。なお、本実施形態は、第１の実施形態の変形例であるため、重複説明を省略する。図７は、本発明の第２の実施形態に係る比較表示システムの仕様データ管理部に収納された仕様データの内容の一例を示す表である。
【００９０】
第１の実施形態で挙げた例において、交換対象のリレーの仕様に、動作標準時間、動作最大時間、動作最小時間、復帰標準時間、復帰最大時間、および、復帰最小時間が存在する場合には、結合データ生成部４は、複数のパターンの結合データを生成する（Ｓ３）。
【００９１】
例えば、結合データ生成部４は、全てのリレー「Ｒ０１」〜「Ｒ０５」が動作最大時間および復帰最大時間を要すると仮定したパターン、リレー「Ｒ０１」が動作最大時間および復帰標準時間を要し、リレー「Ｒ０２」〜「Ｒ０５」が動作標準時間および復帰最小時間を要すると仮定したパターンなどの複数のパターンを生成する。
【００９２】
これに伴い、計算実行部１３は、全てのパターンについて計算を実行し（Ｓ６）、画像データ生成部１４は、全てのパターンから２以上のパターンを選択し、選択した２以上のパターンについて比較表示するための画像データを生成する（Ｓ７）。
【００９３】
なお、結合データ生成部４は、ユーザが選択した２以上のパターンのみについて、結合データを生成しても良い。また、画像データ生成部１４は、ユーザが選択した２以上のパターンのみについて、画像データを生成しても良い。
【００９４】
［第３の実施形態］
本発明の比較表示装置、比較表示システム、比較表示プログラムおよび比較表示方法の第３の実施形態について、図８を用いて説明する。なお、本実施形態は、第１の実施形態の変形例であるため、重複説明を省略する。図８は、本発明の第３の実施形態に係る比較表示システムの主要な構成を示すブロック図である。
【００９５】
本実施形態に係る比較表示システム１は、出力データ管理部６を備えている。
【００９６】
出力データ管理部６は、結合データ生成部４が生成した結合データを記録する。また、計算実行部１３が出力する計算結果を記録する。さらに、画像データ生成部１４が生成した画像データを記録する。
【００９７】
結合データ入力部１１は、出力データ管理部６に収納された結合データを読み込むことができる。また、画像データ生成部１４は、出力データ管理部６に収納された計算結果を読み込むことができる。さらに、画像表示部５は、出力データ管理部６に収納された画像データを読み込むことができる。
【００９８】
［他の実施形態］
上記各実施形態は単なる例示であって、本発明はこれらに限定されるものではない。
【００９９】
例えば、比較表示システム１および比較表示装置１０は、１つのコンピュータで構成されても良いし、複数のコンピュータによって構成されても良い。また、比較表示装置１０の各部１１，１２，１３，１４の処理（Ｓ４，Ｓ５，Ｓ６，Ｓ７）は、１つのコンピュータにより実行されても良いし、ネットワーク等を介して複数のコンピュータにより実行されても良い。
【０１００】
また、回路データ管理部２、仕様データ管理部３、および、出力データ管理部６を別途に設ける必要はなく、一体としても良い。
【０１０１】
また、画像表示部５は、プリンターでも良い。この場合には、図６に示す画像は紙面上に表示される。
【０１０２】
さらに、各実施形態の特徴を組み合わせても良い。
【符号の説明】
【０１０３】
１…比較表示システム、２…回路データ管理部、３…仕様データ管理部、４…結合データ生成部、５…画像表示部、１０…比較表示装置、１１…結合データ入力部、１２…条件データ入力部、１３…計算実行部、１４…画像データ生成部、５１…交換前の制御回路、５２…交換前のスタート回路、５３…交換前のＡ系回路、５４…交換前のＢ系回路、５５…交換前のエンド回路、５６…スイッチ、５７〜６０…交換前のＡ系回路中の各回路、６１〜６４…交換前のＢ系回路中の各回路、６５…入力接点
【図１】
2010271985.tif 000003
【図２】
2010271985.tif 000004
【図３】
2010271985.tif 000005
【図４】
2010271985.tif 000006
【図５】
2010271985.tif 000007
【図６】
2010271985.tif 000008
【図７】
2010271985.tif 000009
【図８】
2010271985.tif 000010